(57)【特許請求の範囲】
【請求項１】
画像を表示する画像表示パネル（３０）と、
視認側に露出する曲面板状に形成され、前記画像を透過させる露出透光板（４０）と、
前記画像表示パネルと前記露出透光板との間の領域（ＡＲ）のうち、前記画像表示パネルの外縁部と前記露出透光板との間において、前記画像の光を、前記画像表示パネルの端部分の画像（Ｉｄ）が反転された反射像（Ｉｒｖ）を形成するように反射する反射部（８０，２８０，３８０，４８０，５８０，６８０）と、を備えることを特徴とする表示装置。
【請求項２】
前記領域を外周側から囲むことにより、開口する開口枠（６０）を備え、
前記反射部は、前記開口枠と対向する対向箇所に設けられることを特徴とする請求項１に記載の表示装置。
【請求項３】
前記開口枠に囲まれた前記領域に前記対向箇所を含んで形成され、前記画像の光を透過する透光媒質部（７０，２７０，３７０，４７０，５７０，６７０）を備え、
前記反射部は、前記透光媒質部に設けられることを特徴とする請求項２に記載の表示装置。
【請求項４】
前記透光媒質部は、前記対向箇所に沿うと共に、前記画像表示パネルと前記露出透光板との間を塞いで形成される対向壁（７２，４７２，５７２，６７２）を有し、
前記反射部は、前記対向壁に設けられることを特徴とする請求項３に記載の表示装置。
【請求項５】
前記透光媒質部は、前記領域のうち前記対向壁よりも内周側に充填された媒質層であって、前記対向壁と接触界面（７４ｃ）を形成している媒質充填層（７４）を有することを特徴とする請求項４に記載の表示装置。
【請求項６】
前記開口枠と前記対向壁の間には、隙間（８８）が設けられ、
前記反射部は、前記隙間との界面として、平滑性を有して設けられることを特徴とする請求項５に記載の表示装置。
【請求項７】
前記透光媒質部は、前記開口枠に囲まれた前記領域に前記対向箇所を含んで充填された媒質充填層（２７４）を有し、
前記開口枠と前記媒質充填層との間には、隙間（２８８）が設けられ、
前記反射部は、前記媒質充填層における前記隙間との界面として、平滑性を有して設けられることを特徴とする請求項３に記載の表示装置。
【請求項８】
前記透光媒質部は、前記開口枠に囲まれた前記領域において、前記画像表示パネルと前記露出透光板との間に介挿され、前記画像を透過する介挿透光板（３７６）を有し、
前記反射部は、前記介挿透光板の側端部（３７６ａ）に設けられることを特徴とする請求項３に記載の表示装置。
【請求項９】
前記開口枠と前記介挿透光板との間には、隙間（３８８）が設けられ、
前記反射部は、前記隙間との界面として、平滑性を有して設けられることを特徴とする請求項８に記載の表示装置。
【請求項１０】
前記反射部は、金属膜（４７２ａ）により形成されることを特徴とする請求項１から５、及び８のいずれか１項に記載の表示装置。
【請求項１１】
前記反射部は、光学多層膜（５７２ａ）により形成されることを特徴とする請求項１から５、及び８のいずれか１項に記載の表示装置。
【請求項１２】
前記反射部は、前記画像表示パネル側を向いて傾斜して配置され、前記画像の光を反射する傾斜反射部（６８２）を有することを特徴とする請求項１から１１のいずれか１項に記載の表示装置。
【請求項１３】
前記反射部は、前記傾斜反射部と、前記露出透光板側を向いて傾斜する逆傾斜部（６８４）とが、交互に配列される交互配列構造を、形成していることを特徴とする請求項１２に記載の表示装置。
【請求項１４】
前記画像表示パネルは、
前記露出透光板側において、表示画素を配列して形成される表示面部（３２）と、
前記表示面部を外周側から囲む囲み枠部（３４）と、を有し、
前記反射部は、前記外縁部のうち、前記囲み枠部よりも内周側に、前記表示面部と接触して設けられることを特徴とする請求項１から１３のいずれか１項に記載の表示装置。
【請求項１５】
前記露出透光板は、前記画像表示パネル側に凹む凹面状に形成されることを特徴とする請求項１から１４のいずれか１項に記載の表示装置。
【請求項１６】
前記露出透光板へのタッチ操作を検出するタッチ検出部（５０）を備えることを特徴とする請求項１から１５のいずれか１項に記載の表示装置。
【発明の詳細な説明】
【技術分野】
【０００１】
本発明は、画像を表示する表示装置に関する。
【背景技術】
【０００２】
従来、表示装置が知られている。例えば、特許文献１に開示の表示装置では、画像を表示する画像表示パネル自体が曲面状に形成されている。
【先行技術文献】
【特許文献】
【０００３】
【特許文献１】特開２００３−２９５１６４号公報
【発明の概要】
【発明が解決しようとする課題】
【０００４】
上記のように、近年、例えばデザイン上の要請等により、曲面を用いた表示の需要が高まっている。しかしながら、特許文献１のように、画像表示パネル自体を曲面状に形成する場合では、当該パネル自体を特殊な仕様にしなければならず、汎用性に欠けるものとなっていた。そこで、本発明者は、視認側に露出する曲面板状に形成される露出透光板を用いることで、曲面表示を疑似的に実現することを着想した。
【０００５】
しかしながら、着想された構成では、画像表示パネルと露出透光板との間には、曲面に応じた領域が生じ得る。この領域が生じた表示装置では、視認者が露出透光板を通して画像を視認する際に、この領域を通して、外周側の段差が確認されてしまい、その結果、露出透光板の奥の平面的な画像表示パネルの存在が認識されてしまう。したがって、曲面感が低下し、見栄えが悪化していた。
【０００６】
本発明は、以上説明した問題に鑑みてなされたものであって、その目的は、見栄えの良い表示装置を提供することにある。
【課題を解決するための手段】
【０００７】
本発明は、画像を表示する画像表示パネル（３０）と、
視認側に露出する曲面板状に形成され、画像を透過させる露出透光板（４０）と、
画像表示パネルと露出透光板との間の領域（ＡＲ）のうち、画像表示パネルの外縁部と露出透光板との間において、画像の光を、画像表示パネルの端部分の画像（Ｉｄ）が反転された反射像（Ｉｒｖ）を形成するように反射する反射部（８０，２８０，３８０，４８０，５８０，６８０）と、を備えることを特徴とする。
【０００８】
このような発明によると、画像表示パネルの外縁部と曲面板状の露出透光板との間において、反射部が設けられている。ここで、画像表示パネルが画像を表示すると、当該画像の光が画像表示パネルと露出透光板との間の領域を通る際に、外周側では、反射部にて反射され得る。したがって、視認者が露出透光板を通して画像を視認する場合に、反射部に反射された光によって、この領域を通した外周側の段差の確認が困難となる。これと共に、外周側では、反射像により画面が拡がったかのように視認される。こうして露出透光板の曲面感が十分に発揮されることで、見栄えの良い表示装置を提供することができる。
【０００９】
なお、括弧内の符号は、記載内容の理解を容易にすべく、後述する実施形態において対応する構成を例示するものに留まり、発明の内容を限定することを意図したものではない。
【図面の簡単な説明】
【００１０】
【図１】第１実施形態における表示装置の斜視図である。
【図２】第１実施形態における表示装置の分解斜視図である。
【図３】図１のIII−III線断面の一部を示す断面図である。
【図４】図３のIV部を拡大して示す拡大図である。
【図５】第１実施形態において、反射像を説明するための図である。
【図６】第１実施形態における表示装置の製造方法を説明するための図である。
【図７】第２実施形態における図４に対応する図である。
【図８】第２実施形態における表示装置の製造方法を説明するための図である。
【図９】第３実施形態における図４に対応する図である。
【図１０】第４実施形態における図４に対応する図である。
【図１１】第５実施形態における図４に対応する図である。
【図１２】第６実施形態における図４に対応する図である。
【図１３】図１２の反射面の一部をさらに拡大して示す図である。
【図１４】変形例２における図４に対応する図である。
【図１５】変形例３における図５に対応する図である。
【発明を実施するための形態】
【００１１】
以下、本発明の複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１２】
（第１実施形態）
図１に示す本発明の第１実施形態による表示装置１００は、車両に搭載されている車両用表示装置である。具体的に、表示装置１００は、車両のインストルメントパネルにおいて、左右に並ぶ運転席及び助手席に対して中間となる中間部に設置されている。表示装置１００は、視認者としての車両の乗員が位置する視認側に向けて、画像を表示することが可能となっている。また、表示装置１００は、操作者としての車両の乗員によりタッチ操作することが可能な、操作装置としても機能している。
【００１３】
具体的に、表示装置１００により表示される画像としては、例えば車室内の空調に関するボタン画像、ナビゲーション機能に関するボタン画像、オーディオ機能に関するボタン画像等の各種操作用画像が挙げられる。その他、表示される画像としては、例えば、空調設定の表示画像、ナビゲーション機能における地図画像、テレビ放送や映画等の動画等、各種アイコン操作に付随した各種画像が挙げられる。また、画像として、例えば車速、燃費等の車両の状態、電子メール等の情報が表示されるようにしてもよい。
【００１４】
また、各種アイコンがタッチ操作されることで、例えば、空調、ナビゲーション機能、オーディオ機能等が設定及び制御されるようになっている。
【００１５】
このような表示装置１００について、図２〜５を用いて、以下に詳細に説明する。表示装置１００は、図２に示すように、制御部２０、画像表示パネル３０、露出透光板４０、タッチ検出部５０、保持枠６０、及び透光媒質部７０を主に備えている。
【００１６】
制御部２０は、回路基板２２上に実装されたタッチ回路２４及びメイン回路２６を有している。タッチ回路２４は、ＣＰＵ及びメモリ等からなり、電気的に接続されたタッチ検出部５０を制御する制御回路であり、静電ＩＣを有している。タッチ回路２４は、タッチ検出部５０から入力された検出信号を処理し、電気的に接続されたメイン回路２６に出力する。メイン回路２６は、ＣＰＵ及びメモリ等からなり、電気的に接続された画像表示パネル３０を制御する制御回路である。メイン回路２６は、通信可能となっている外部機器からの入力信号や、タッチ検出部５０からの検出信号に基づいて、画像表示パネル３０に画像表示信号を出力することで、画像表示パネル３０に画像の表示内容を制御する。なお、回路基板２２は、背面側ハウジング１０と共に、ネジ１２及びスペーサ１４により、画像表示パネル３０の背面側に締結されている。
【００１７】
画像表示パネル３０は、図２〜４に示すように、画像を表示する平板状の表示素子であり、回路基板２２よりも視認側に配置されている。本実施形態では、画像表示パネル３０として、薄膜トランジスタ（Thin Film Transistor、ＴＦＴ）を用いた液晶パネルであって、２次元方向に配列された複数の表示画素により形成された表示面部３２を有するアクティブマトリクス型の液晶パネルが採用されている。
【００１８】
より詳細に、表示面部３２は、視認側に表示面３２ａを有する矩形状を呈している。表示面部３２の内部には、一対の偏光板及び当該一対の偏光板に挟まれた液晶層等が積層されている。一対の偏光板はその偏光軸を互いに実質垂直となるように配置されている。液晶層では、表示画素毎の電圧印加により、印加電圧に応じて液晶層に入射する光の偏光方向を回転させることが可能となっている。こうして、表示画素毎に入射する光の透過率を制御することが可能となっている。
【００１９】
表示面部３２に対して、視認側の反対側である背面側には、バックライトが配置されており、バックライトから表示面部３２に入射した光が透過率を制御されることで、画像表示パネル３０は、画像を表示するようになっている。ここで、表示面部３２において視認側には拡散フィルムが配置されており、画像の光は、各画素から所定の分布で視認側の各方向に拡散されて射出される。
【００２０】
また、画像表示パネル３０は、囲み枠部３４を有している。囲み枠部３４は、鉄ないしはアルミ等の金属板をプレス加工等により加工することで形成され、表示面部３２及びバックライトを外周側から囲んでいる。囲み枠部３４が表示面部３２を囲むことで、画像表示パネル３０のうち視認側を向く、すなわち後述する露出透光板４０と対向する表面では、内周側に表示面部３２が配置され、当該表示面部３２よりも外周側に、囲み枠部３４が表示面３２ａに対して露出透光板４０側に突出して配置されている。
【００２１】
こうした矩形状の画像表示パネル３０は、長手方向を車両の上下方向ＤＶに沿わせて、短手方向を車両の左右方向ＤＨに沿わせて配置される（図１参照）。
【００２２】
ここで、本実施形態における画像表示パネル３０の外縁部は、囲み枠部に加えて表示面部の外周部を含むものとする。表示面部の外周部には、多くの場合、ボタン画像や情報を示す画像は表示されず、背景画像が表示されるか何も表示されないようになっている。
【００２３】
露出透光板４０は、図１〜４に示すように、例えばアクリル樹脂ないしはポリカーボネイト樹脂等により矩形板状に形成された、透光性を有する透光板であり、本実施形態ではスモーク調の着色によりその透過率が７０〜８０％となっている。露出透光板４０の厚みは、各箇所において実質均一である。また、露出透光板４０の視認側表面には、傷を防止するハードコート層が形成され、また、露出透光板４０の外縁部には、黒色により遮光性を有するマスク印刷層４２が形成されている。露出透光板４０は、表示装置１００において最も視認側に配置され、視認側に露出する曲面板状に形成されている。こうして露出透光板４０は、画像表示パネル３０からの画像の光を視認側に透過するようになっている。
【００２４】
こうした矩形状の露出透光板４０は、画像表示パネル３０と同様に、長手方向を車両の上下方向ＤＶに沿わせて、短手方向を車両の左右方向ＤＨに沿わせて配置される（図１参照）。ここで、露出透光板４０は、画像表示パネル３０側（すなわち背面側）に凹む凹面状に形成されている。
【００２５】
タッチ検出部５０は、図２〜４に示すように、投影型静電容量式のタッチスイッチであり、当該タッチスイッチ５２は、透光性のフィルム状に形成されている。タッチ検出部５０は、光学用透明粘着シート（Optically Clear Adhesive、ＯＣＡ）を介して、露出透光板４０の背面側に接着されている。タッチ検出部５０は、タッチスイッチ５２により、露出透光板４０へのタッチ操作を検出する。詳細に、タッチ検出部５０は、露出透光板４０に操作者の指が接近又は接触すると、静電容量の変化をタッチ回路２４にて検出することで、露出透光板４０における指の位置を特定することが可能となっている。
【００２６】
このような画像表示パネル３０と、露出透光板４０及びタッチ検出部５０との間には、平面状の画像表示パネル３０に対して、露出透光板４０が曲面板状に形成されることにより、図３に示すように領域ＡＲが形成されている。
【００２７】
保持枠６０は、図１〜４に示すように、例えば黒色の合成樹脂により形成され、画像表示パネル３０の形状に合わせて中央に大きく開口した矩形環状の開口枠である。保持枠６０は、領域ＡＲを外周側から囲んでいることで開口している。これと共に保持枠６０の視認側端部６０ａは、露出透光板４０の外縁部を背面側から保持している。これにより、露出透光板４０と画像表示パネル３０との位置が固定されている。
【００２８】
ここで、画像表示パネル３０の表示面３２ａから視認側端部６０ａまでの保持枠６０の高さ寸法ＨＦは、露出透光板４０の曲面により生じる外周側の段差に合わせて形成されることで、箇所によって異なるものとなっている。具体的に、露出透光板４０が長手方向に曲がっていることで、中心部から長手方向にずれた箇所程、高さ寸法ＨＦが増大する。そして、長手方向の端部において、高さ寸法ＨＦは最大となっている。また、高さ寸法ＨＦが極小となる中心部６０ｂにおいても、後述する透光媒質部７０の形成に応じて、所定以上の高さ寸法ＨＦが確保されており、画像表示パネル３０と露出透光板４０とは、直接接触せずに互いに離れている。
【００２９】
透光媒質部７０は、図２〜４に示すように、保持枠６０に囲まれた領域ＡＲに形成され、画像表示パネル３０からの画像の光を透過するようになっている。透光媒質部７０は、対向壁７２、及び媒質充填層７４を有している。
【００３０】
対向壁７２は、例えば比屈折率が１．４９であるアクリル樹脂等により、透光性を有して形成された外縁壁である。対向壁７２は、画像表示パネル３０の外縁部と露出透光板４０の外縁部との間において、領域ＡＲのうち保持枠６０と対向する対向箇所に沿うことで、中央に大きく開口した矩形環状となっている。これと共に、対向壁７２は、画像表示パネル３０の表示面部３２のうち外周部、及び露出透光板４０の外縁部と接触状態で設けられることで、全周に亘って画像表示パネル３０と露出透光板４０との間を塞いでいる。対向壁７２は、表示面３２ａに対して実質垂直に延伸して設けられている。そして、保持枠６０と対向壁７２との間には全周に亘って隙間８８が設けられている。
【００３１】
媒質充填層７４は、領域ＡＲのうち対向壁７２よりも内周側に充填された透光性の媒質層である。媒質充填層７４には、透光性の媒質として、光学用透明樹脂（Optically Clear Resin、ＯＣＲ）が充填されており、例えば比屈折率が１．４〜１．５程度であるシリコン樹脂が採用されている。媒質充填層７４は、画像表示パネル３０、露出透光板４０、及び対向壁７２に囲まれた領域ＡＲに実質隙間のない状態で、固体状態で充填されていることで、画像表示パネル３０側、露出透光板４０側、及び対向壁７２とそれぞれ接触界面７４ａ，７４ｂ，７４ｃを形成している。
【００３２】
透光媒質部７０は、対向箇所を含んで形成された対向壁７２において、図４に拡大して示す反射部としての反射面８０を設けている。具体的に反射面８０は、対向壁７２における隙間８８との界面として、設けられている。
【００３３】
反射面８０は、表示面３２ａと接線方向が交差するように設けられている。具体的に、対向壁７２が表示面３２ａに対して実質垂直に延伸していることにより、反射面８０も、当該表示面３２ａに対して実質垂直となっている。また上述の対向壁７２の配置により、反射面８０は、画像表示パネル３０の外縁部のうち囲み枠部３４よりも内周側において、表示面部３２の表示面３２ａと接触して設けられている。
【００３４】
こうした反射面８０は、領域ＡＲのうち、画像表示パネル３０の外縁部と露出透光板４０と外縁部の間において、画像表示パネル３０からの画像の光を鏡面反射するようになっている。すなわち、媒質充填層７４と対向壁７２の屈折率差ΔＮｍｗは小さいため接触界面７４ｃにおいては画像の光の反射率は低くなっている。一方、対向壁７２と空気が充填された隙間８８との屈折率差ΔＮｗａは、ΔＮｍｗに対して大きいため、画像の光の反射率は高くなっているのである。したがって、図５に示すように、露出透光板４０を通して、領域ＡＲが覗き込まれると、反射面８０の反射により端部分の画像Ｉｄを反転して形成された反射像Ｉｒｖが視認される。なお、図３においても、反射面８０に反射される画像の光が破線の矢印で模式的に示されている。
【００３５】
ここで、このような表示装置１００の製造方法について、特に透光媒質部７０の形成を中心に、簡単に以下に説明する。
【００３６】
まず、露出透光板４０の曲面に沿った形状の治具９０の上に、背面側が上となるように露出透光板４０を配置する。次に、露出透光板４０の背面側に光学用透明粘着シートを用いて、タッチ検出部５０のタッチスイッチ５２を接着する。さらにタッチ検出部５０が接着された露出透光板４０の背面側に対向壁７２を配置する。次に、対向壁７２の内側に液状の光学用透明樹脂を流し込んで塗布する（図６参照）。光学用透明樹脂が硬化する前に、光学用透明樹脂が露出している箇所を、画像表示パネル３０によって蓋をする。次に光学用透明樹脂を硬化させる。硬化させる方法としては、光学用透明樹脂の種類に応じて、２液を混合した光学用透明樹脂を時間経過により硬化させる方法、紫外線等の照射により硬化させる方法、及び熱により硬化させる方法等がある。硬化により、媒質充填層７４が形成される。次に、保持枠６０を外周側から嵌め込む。このようにして、表示装置１００が製造される。
【００３７】
（作用効果）
以上説明した第１実施形態の作用効果を以下に説明する。
【００３８】
第１実施形態によると、画像表示パネル３０の外縁部と曲面板状の露出透光板４０との間において、反射部としての反射面８０が設けられている。ここで、画像表示パネル３０が画像を表示すると、当該画像の光が画像表示パネル３０と露出透光板４０との間の領域ＡＲを通る際に、外周側では、反射面８０にて反射され得る。したがって、視認者が露出透光板４０を通して画像を視認する場合に、反射面８０に反射された光によって、この領域ＡＲを通した外周側の段差の確認が困難となる。これと共に、外周側では、反射像Ｉｒｖにより画面が拡がったかのように視認される。こうして露出透光板４０の曲面感が十分に発揮されることで、見栄えの良い表示装置１００を提供することができる。
【００３９】
また、第１実施形態によると、開口枠としての保持枠６０が、画像表示パネル３０と露出透光板４０との間を外周側から囲んでいる。ここで、画像表示パネル３０が画像を表示すると、当該画像の光が画像表示パネル３０と露出透光板４０との間の領域ＡＲを通る際に、外周側では、保持枠６０と対向する対向箇所に設けられた反射面８０に、当該画像の光が反射され得る。したがって、視認者が露出透光板４０を通して画像を視認する場合に、外周側の保持枠６０の視認が困難となる。こうして露出透光板４０の曲面感が十分に発揮されることで、見栄えの良い表示装置１００を提供することができる。
【００４０】
また、第１実施形態によると、保持枠６０に囲まれた領域ＡＲに対向箇所を含んで形成された透光媒質部７０が、画像の光を透過するようになっている。このような透光媒質部７０に反射面８０を設けることで、容易に対向箇所にて画像の光を反射させることができる。こうして露出透光板４０の曲面感が十分に発揮されることで、見栄えの良い表示装置１００を提供することができる。
【００４１】
また、第１実施形態によると、対向壁７２が、対向箇所に沿うと共に、画像表示パネル３０と露出透光板４０との間を塞いで形成されている。このような対向壁７２に反射面８０を設けることで、対向箇所において、画像表示パネル３０と露出透光板４０との間の領域ＡＲを反射面８０が塞ぐことが可能となるので、この領域ＡＲを通した保持枠６０の視認がより困難となる。こうして露出透光板４０の曲面感が十分に発揮されることで、見栄えの良い表示装置１００を提供することができる。
【００４２】
また、第１実施形態によると、透光媒質部７０は、対向壁７２よりも内周側に充填された媒質層であって、対向壁７２と接触界面７４ｃを形成している媒質充填層７４を有する。このような媒質充填層７４により、画像表示パネル３０と露出透光板４０との間の領域ＡＲと、隣接部材との屈折率差を低減することが可能となるので、外光等が入射した際に、意図しない外光の反射を抑制することができる。このため、見栄えの良い表示装置１００を提供することができる。
【００４３】
また、第１実施形態によると、保持枠６０と対向壁７２の間には、隙間８８が設けられ、反射面８０は、当該隙間８８との界面として、平滑性を有して設けられる。このような反射面８０では、対向壁７２と隙間８８との屈折率差を利用して画像の光の反射率を高めることができ、また、保持枠６０が反射面８０と離れることで反射面８０に保持枠６０が映り込むことを避けることができる。したがって、画像表示パネル３０と露出透光板４０との間の領域ＡＲを通した保持枠６０の視認がより困難となり、見栄えの良い表示装置１００を提供することができる。
【００４４】
また、第１実施形態によると、画像表示パネル３０は、露出透光板４０側において、表示画素を配列して形成される表示面部３２と、表示面部３２を外周側から囲む囲み枠部３４と、を有する。ここで反射面８０は、囲み枠部３４よりも内周側に、表示面部３２と接続されて設けられる。このように表示面部３２に囲み枠部３４がある場合であっても、表示面部３２と接触する反射面８０により、画像表示パネル３０と露出透光板４０との間の領域ＡＲを通した囲み枠部３４の視認は困難となる。したがって、見栄えの良い表示装置１００を提供することができる。
【００４５】
また、第１実施形態によると、露出透光板４０は、画像表示パネル３０側に凹む凹面状に形成される。露出透光板４０が凹面状のため、外周側において、画像表示パネル３０と露出透光板４０との間の段差が生じ易くなる場合において、本実施形態のような反射面８０が適用されると、段差の確認抑制効果の度合いは顕著なものとなるのである。
【００４６】
また、第１実施形態によると、露出透光板４０へのタッチ操作を検出するタッチ検出部５０を備える。反射面８０によって曲面板状の露出透光板４０の曲面感が十分に発揮された上に、露出透光板４０へのタッチ操作が可能となるので、曲面感をさらに高めることができる。
【００４７】
（第２実施形態）
図７に示すように、本発明の第２実施形態は第１実施形態の変形例である。第２実施形態について、第１実施形態とは異なる点を中心に説明する。
【００４８】
第２実施形態の表示装置２００における透光媒質部２７０は、第１実施形態と同様に、保持枠６０に囲まれた領域ＡＲに形成され、画像表示パネル３０からの画像の光を透過するようになっている。ここで、透光媒質部２７０は、媒質充填層２７４を有している。
【００４９】
媒質充填層２７４は、保持枠６０に囲まれた領域ＡＲに、保持枠６０と対向する対向箇所を含んで設けられ、固体状態で媒質が充填された透光性の媒質層である。媒質充填層２７４の媒質には、例えば第１実施形態と同様のシリコン樹脂が採用されている。媒質充填層２７４は、全周に亘って対向箇所を含んでいることで、矩形状に形成されている。保持枠６０と媒質充填層２７４との間には、全周に亘って隙間２８８が設けられている。
【００５０】
一方で、画像表示パネル３０及び露出透光板４０に対しては、媒質充填層２７４は、実質隙間のない状態で充填されていることで、画像表示パネル３０側及び露出透光板４０側とそれぞれ接触界面２７４ａ，２７４ｂを形成している。
【００５１】
透光媒質部２７０は、媒質充填層２７４において、反射面２８０を設けている。具体的に反射面２８０は、媒質充填層２７４における隙間２８８との界面として、平滑性を有して設けられている。反射面２８０は、第１実施形態と同様、表示面３２ａに対して実質垂直となっている。
【００５２】
ここで、このような表示装置２００の製造方法について、特に透光媒質部２７０の形成を中心に、簡単に以下に説明する。
【００５３】
まず、露出透光板４０の曲面に沿った形状の治具９０の上に、背面側が上となるように露出透光板４０を配置する。次に、露出透光板４０の背面側に光学用透明粘着シートを用いて、タッチ検出部５０のタッチスイッチ５２を接着する。ここで、媒質充填層２７４の形状に合わせた矩形環状の型枠２９１を、タッチ検出部５０が接着された露出透光板４０の背面側に沿わせて配置する。次に、型枠２９８の内側に液状の光学用透明樹脂を流し込んで塗布する（図８参照）。光学用透明樹脂が硬化する前に、光学用透明樹脂が露出している箇所を、画像表示パネル３０によって蓋をする。次に光学用透明樹脂を硬化させる。硬化により、媒質充填層２７４が形成される。この後、型枠２９１を外周側にスライドさせることで抜く。次に、保持枠６０を外周側から嵌め込む。このようにして、表示装置２００が無事に製造される。
【００５４】
このような第２実施形態においても、画像表示パネル３０の外縁部と露出透光板４０との間において、反射部としての反射面２８０が当該画像の光を反射する。したがって、共通する構成については第１実施形態に準じた作用効果を奏する。
【００５５】
また、第２実施形態によると、透光媒質部２７０は、保持枠６０に囲まれた領域ＡＲに対向箇所を含んで充填された媒質充填層２７４を有する。このような媒質充填層２７４により、画像表示パネル３０と露出透光板４０との間の領域ＡＲと、隣接部材との屈折率差を低減することが可能となるので、外光等が入射した際に、意図しない外光の反射を抑制することができる。
【００５６】
ここで、保持枠６０と媒質充填層２７４との間には、隙間２８８が設けられ、反射面２８０は、媒質充填層２７４における当該隙間２８８との界面として、平滑性を有して設けられる。このような反射面２８０では、媒質充填層２７４と隙間２８８との屈折率差を利用して画像の光の反射率を高めることができ、また、保持枠６０が反射面２８０と離れることで反射面２８０に保持枠６０が映り込むことを避けることができる。したがって、画像表示パネル３０と露出透光板４０との間の領域ＡＲを通した保持枠６０の視認がより困難となる。以上により、見栄えの良い表示装置２００を提供することができる。
【００５７】
（第３実施形態）
図９に示すように、本発明の第３実施形態は第１実施形態の変形例である。第３実施形態について、第１実施形態とは異なる点を中心に説明する。
【００５８】
第３実施形態の表示装置３００における透光媒質部３７０は、第１実施形態と同様に、保持枠６０に囲まれた領域ＡＲに形成され、画像表示パネル３０からの画像の光を透過するようになっている。ここで、透光媒質部３７０は、介挿透光板３７６を有している。
【００５９】
介挿透光板３７６は、保持枠６０に囲まれた領域ＡＲにおいて、画像表示パネル３０と露出透光板４０との間に介挿されている透光板である。介挿透光板３７６は、例えばアクリル樹脂ないしはポリカーボネイト樹脂等により、透光性を有して形成されていることで、画像表示パネル３０からの画像の光を透過する。介挿透光板３７６の画像表示パネル３０側の表面は、画像表示パネル３０に合わせた平面状となっており、露出透光板４０側の表面は、露出透光板４０の曲面に合わせた曲面状となっている。介挿透光板３７６の厚みは、保持枠６０の高さ寸法ＨＦよりも小さく設定されている。これにより、介挿透光板３７６は、画像表示パネル３０との間及び露出透光板４０との間に、それぞれ光学用透明粘着シートを用いて接着されて形成されたシート層３７７ａ，３７７ｂを有している。
【００６０】
介挿透光板３７６の側端部３７６ａは、画像表示パネル３０の外縁部と露出透光板４０の外縁部との間まで達しており、全周に亘って対向箇所に沿って形成されている。これにより、介挿透光板３７６は、矩形状となっている。保持枠６０と側端部３７６ａとの間には、全周に亘って隙間３８８が設けられている。
【００６１】
透光媒質部３７０は、側端部３７６ａにおいて、反射面３８０を設けている。具体的に反射面３８０は、側端部３７６ａにおける隙間３８８との界面として、平滑性を有して設けられている。反射面３８０は、第１実施形態と同様に、表示面３２ａに対して実質平行となっている。
【００６２】
ここで、このような表示装置３００の製造方法について、特に透光媒質部３７０の形成について、簡単に以下に説明する。
【００６３】
まず、露出透光板４０の曲面に沿った形状の治具９０の上に、背面側が上となるように露出透光板４０を配置する。次に、露出透光板４０の背面側に光学用透明粘着シートを用いて、タッチ検出部５０のタッチスイッチ５２を接着する。さらに、タッチ検出部５０が接着された露出透光板４０の背面側に、光学用透明粘着シートを用いて、介挿透光板３７６を接着する。さらに、介挿透光板３７６の背面側に、光学用透明粘着シートを用いて、画像表示パネル３０を接着する。次に、保持枠６０を外周側から嵌め込む。このようにして、表示装置３００が製造される。
【００６４】
このような第３実施形態においても、画像表示パネル３０の外縁部と露出透光板４０との間において、反射部としての反射面３８０が当該画像の光を反射する。したがって、共通する構成については第１実施形態に準じた作用効果を奏する。
【００６５】
また、第３実施形態によると、透光媒質部３７０は、保持枠６０に囲まれた領域ＡＲにおいて、画像表示パネル３０と露出透光板４０との間に介挿され、画像を透過する介挿透光板３７６を有し、反射面３８０は、介挿透光板３７６の側端部３７６ａに設けられる。例えば介挿透光板３７６の側端部３７６ａに反射面２８０を予め形成しておくことにより、容易に対向箇所に反射面２８０を設けることが可能となる。
【００６６】
また、第３実施形態によると、保持枠６０と介挿透光板３７６との間には、隙間３８８が設けられ、反射面３８０は、介挿透光板３７６における当該隙間３８８との界面として、平滑性を有して設けられる。このような反射面３８０では、介挿透光板３７６と隙間３８８との屈折率差を利用して画像の光の反射率を高めることができ、また、保持枠６０が反射面３８０と離れることで反射面３８０に保持枠６０が映り込むことを避けることができる。したがって、画像表示パネル３０と露出透光板４０との間の領域ＡＲを通した保持枠６０の視認がより困難となる。以上により、見栄えの良い表示装置３００を提供することができる。
【００６７】
（第４実施形態）
図１０に示すように、本発明の第４実施形態は第１実施形態の変形例である。第４実施形態について、第１実施形態とは異なる点を中心に説明する。
【００６８】
第４実施形態の表示装置４００における透光媒質部４７０は、第１実施形態と同様に配置された対向壁４７２において、反射面４８０を設けている。具体的に、対向壁４７２において媒質充填層４７４と接触する内周側表面には、全周に亘って金属膜４７２ａが設けられている。
【００６９】
金属膜４７２ａは、組み付け前の対向壁４７２の内周側表面に、例えばニッケル及びクロム等の金属によりめっきを施すこと、あるいは、例えばアルミニウム等の金属を蒸着すること等により設けられる。こうして、金属膜４７２ａにより形成される反射面４８０は、画像の光を鏡面反射するようになっている。
【００７０】
このような第４実施形態においても、画像表示パネル３０の外縁部と露出透光板４０との間において、反射部としての反射面４８０が当該画像の光を反射する。したがって、共通する構成については第１実施形態に準じた作用効果を奏する。
【００７１】
また、第４実施形態によると、反射面４８０は、金属膜４７２ａにより形成される。金属膜４７２ａにより、画像の光の反射面４８０における反射率を高めることができるので、画像表示パネル３０と露出透光板４０との間の領域ＡＲを通した保持枠６０の視認は、より困難となる。したがって、見栄えの良い表示装置４００を提供することができる。
【００７２】
（第５実施形態）
図１１に示すように、本発明の第５実施形態は第４実施形態の変形例である。第５実施形態について、第１実施形態とは異なる点を中心に説明する。
【００７３】
第５実施形態の表示装置５００における透光媒質部５７０は、第４実施形態と同様に配置された対向壁５７２において、反射面５８０を設けている。具体的に、対向壁５７２において媒質充填層５７４と接触する内周側表面には、全周に亘って光学多層膜５７２ａが設けられている。
【００７４】
光学多層膜５７２ａは、フィルム状態で、組み付け前の対向壁５７２の内周側表面に張り付けられること等により設けられる。ここで光学多層膜５７２ａは、屈折率の異なる２種類以上の誘電体からなる薄膜を、反射面５８０の法線方向に沿って積層して形成されている。各誘電体膜における各膜厚が、適宜設定されることで、画像の光の波長に対して高い反射率が実現されている。こうして、光学多層膜５７２ａにより形成される反射面５８０は、画像の光を鏡面反射するようになっている。
【００７５】
このような第５実施形態においても、画像表示パネル３０の外縁部と露出透光板４０との間において、反射部としての反射面５８０が当該画像の光を反射する。したがって、共通する構成については第４実施形態に準じた作用効果を奏する。
【００７６】
また、第５実施形態によると、反射面５８０は、光学多層膜５７２ａにより形成される。光学多層膜５７２ａにより、画像の光の反射面５８０における反射率を高めることができるので、画像表示パネル３０と露出透光板４０との間の領域ＡＲを通した保持枠６０の視認は、より困難となる。したがって、見栄えの良い表示装置５００を提供することができる。
【００７７】
（第６実施形態）
図１２，１３に示すように、本発明の第６実施形態は第１実施形態の変形例である。第６実施形態について、第１実施形態とは異なる点を中心に説明する。
【００７８】
第６実施形態の表示装置６００における透光媒質部６７０は、図１２に示すように、第１実施形態と同様に配置された対向壁６７２において、反射面６８０を設けている。反射面６８０は、対向壁６７２における隙間８８との界面として設けられている。
【００７９】
第６実施形態の反射面６８０は、図１３に拡大して示すように、傾斜反射部６８２及び逆傾斜部６８４をそれぞれ複数有しており、当該傾斜反射部６８２と逆傾斜部６８４とが交互に配列される交互配列構造を形成している。交互配列構造における配列ピッチＰＡは、例えば傾斜反射部６８２及び逆傾斜部６８４の１セットで０．１ｍｍ程度となっている。
【００８０】
各傾斜反射部６８２は、表示面３２ａの接線方向と鋭角をなすことで、画像表示パネル３０側を向いて傾斜して配置される平面状となっている。各傾斜反射部６８２は、平滑性を有していることで、画像の光を鏡面反射するようになっている。各逆傾斜部６８４は、各傾斜反射部６８２間に配置され、表示面３２ａの接線方向と鈍角をなすことで、露出透光板４０側を向いて傾斜しているので、傾斜反射部６８２とは逆傾斜となっている。
【００８１】
このような傾斜反射部６８２と逆傾斜部６８４との交互配列構造により、反射面６８０は、巨視的には表示面３２ａに対して実質垂直に延伸しているように見える。そして、第１実施形態と同様に対向壁６７２は、表示面３２ａに対して実質垂直に延伸して設けられている。
【００８２】
なお、図１３において、反射面６８０に反射される画像の光が破線の矢印で模式的に示されている。
【００８３】
このような第６実施形態においても、画像表示パネル３０の外縁部と露出透光板４０との間において、反射部としての反射面６８０が当該画像の光を反射する。したがって、共通する構成については第１実施形態に準じた作用効果を奏する。
【００８４】
また、第６実施形態によると、反射面６８０は、画像表示パネル３０側を向いて傾斜して配置され、画像の光を反射する傾斜反射部６８２を有する。傾斜反射部６８２により、画像のうち、反射面６８０による反射像Ｉｒｖの反転対象となる画像Ｉｄの範囲を狭くすることができる。これにより、反射像Ｉｒｖを気にせずに画像表示パネル３０を有効活用することが可能となり、見栄えの良い表示装置６００を提供することができる。
【００８５】
また、第６実施形態によると、反射面６８０は、傾斜反射部６８２と、露出透光板４０側を向いて傾斜する逆傾斜部６８４とが、交互に配列される交互配列構造を、形成している。傾斜反射部６８２による傾斜を、逆傾斜部６８４がキャンセルすることで、周方向において反射面６８０が占有するスペースが抑制される。したがって、画像表示のためにスペースを有効活用することが可能となり、表示面３２ａの範囲を狭める事無く見栄えの良い表示装置６００を提供することができる。
【００８６】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００８７】
具体的に、第１〜２，４〜６実施形態に関する変形例１としては、媒質充填層７４における透光性の媒質として、アクリル樹脂が採用されてもよい。
【００８８】
第３，４実施形態に関する変形例２としては、図１４に示すように、介挿透光板３７６の側端部３７６ａに設けられた金属膜４７２ａにより、反射面３８０が形成されてもよい。
【００８９】
第３，５実施形態に関する変形例３としては、図１５に示すように、介挿透光板３７６の側端部３７６ａに設けられた光学多層膜５７２ａにより、反射面３８０が形成されてもよい。
【００９０】
第３，６実施形態に関する変形例４としては、介挿透光板３７６の側端部３７６ａに設けられた反射面３８０が、傾斜反射部６８２と逆傾斜部６８４とが交互に配列される交互配列構造を形成していてもよい。
【００９１】
第３実施形態に関する変形例５としては、介挿透光板３７６は、画像表示パネル３０との間及び露出透光板４０との間を、光学用透明粘着シートの代わりに、光学用透明樹脂を用いて接着されていてもよい。
【００９２】
第４，５実施形態に関する変形例６としては、保持枠６０と対向壁４７２との間には、隙間８８が設けられていなくてもよい。
【００９３】
第４，５実施形態に関する変形例７としては、反射面４８０は、対向壁４７２の外周側表面に設けられていてもよい。
【００９４】
第６実施形態に関する変形例８としては、反射面６８０は、その全面において、傾斜反射部６８２を有していてもよい。
【００９５】
変形例９としては、露出透光板４０は、視認側に凸となる凸面板状に形成されていてもよい。また、露出透光板４０は、例えば車両の上下方向に沿った断面において画像表示パネル３０側に凹となり、かつ、車両の左右方向に沿った断面において視認側に凸となった曲面板状に形成されていてもよい。
【００９６】
変形例１０としては、画像表示パネル３０は、露出透光板４０と形状が異なっていれば、曲面板状に形成されていてもよい。
【００９７】
変形例１１としては、画像表示パネル３０は、外縁部において、囲み枠部３４を有していなくてもよい。また、画像表示パネル３０として、液晶パネル以外の例えば有機ＥＬパネル等が採用されてもよい。
【００９８】
変形例１２としては、表示装置１００は、保持枠６０を備えていなくてもよい。
【００９９】
変形例１３としては、表示装置１００は、タッチ検出部５０を備えていないことで、操作装置として機能していなくてもよい。
【０１００】
変形例１４としては、反射部は、画像の光を反射するものであれば、面以外の構成を含むものであってもよい。
【符号の説明】
【０１０１】
１００，２００，３００，４００，５００，６００  表示装置、３０  画像表示パネル、３２  表示面部、３４  囲み枠部、４０  露出透光板、５０  タッチ検出部、６０  保持枠（開口枠）、７０，２７０，３７０，４７０，５７０，６７０  透光媒質部、７２，４７２，５７２，６７２  対向壁、４７２ａ  金属膜、５７２ａ  光学多層膜、７４，２７４  媒質充填層、７４ｃ  接触界面、８０，２８０，３８０，４８０，５８０，６８０  反射面（反射部）、６８２  傾斜反射部、６８４  逆傾斜部、８８，２８８，３８８  隙間、ＡＲ  領域
【図１】
0006380276.tif 000002
【図２】
0006380276.tif 000003
【図３】
0006380276.tif 000004
【図４】
0006380276.tif 000005
【図５】
0006380276.tif 000006
【図６】
0006380276.tif 000007
【図７】
0006380276.tif 000008
【図８】
0006380276.tif 000009
【図９】
0006380276.tif 000010
【図１０】
0006380276.tif 000011
【図１１】
0006380276.tif 000012
【図１２】
0006380276.tif 000013
【図１３】
0006380276.tif 000014
【図１４】
0006380276.tif 000015
【図１５】
0006380276.tif 000016